(57)【要約】【課題】  ルーペのレンズを保護しつつ、ルーペとミラーの両方の使い勝手を向上させることができるミラー付きルーペを提供する。【解決手段】  上蓋１１と下蓋１３でルーペ部１２を挟み込み、上蓋１１の内面にミラー１５が取り付けられ、軸部１７を中心にルーペ部１２を回転させて、下蓋１３からルーペ部１２を引き出す構成であり、ルーペ部１２のレンズ１４を上蓋１１と下蓋１３で保護しつつ、上蓋１１を開状態にしてミラー１５を利用可能にし、ルーペ部１２を引き出して利用可能にするミラー付きルーペである。【選択図】        図５
0003186268.tif 000002
【実用新案登録請求の範囲】
【請求項１】
ミラーを備えたミラー付きルーペであって、
上蓋と、下蓋と、ルーペ部とを備え、
前記上蓋の内面にミラーが取り付けられ、
前記ルーペ部がレンズを備え、
前記上蓋の端部と前記下蓋の端部とを接続し、当該接続する部分を中心に開閉する開閉部が形成され、
前記下蓋の内面に沿って前記ルーペ部が回転可能に取り付けられ、
前記ルーペ部を回転させると、前記下蓋から前記ルーペ部が引き出し可能となり、
前記ルーペ部が引き出されていない状態で、前記開閉部が閉状態の場合には、前記上蓋と前記下蓋で前記ルーペ部を挟み込むようにしたことを特徴とするミラー付きルーペ。
【請求項２】
ルーペ部は、開閉部側で支点を中心として回転可能としたことを特徴とする請求項１記載のミラー付きルーペ。
【請求項３】
ルーペ部は、回転可能な支点とは反対側の端部に突起部を設けたことを特徴とする請求項２記載のミラー付きルーペ。
【請求項４】
開閉部は、回転軸としての心棒を備えたヒンジ構造で、当該心棒の中心部分を露出させたことを特徴とする請求項３記載のミラー付きルーペ。
【請求項５】
開閉部は、回転角９０度以上１８０度以下の特定の角度で開状態が停止するよう構成されていることを特徴とする請求項１乃至４のいずれか記載のミラー付きルーペ。
【考案の詳細な説明】
【技術分野】
【０００１】
本考案は、ミラーとルーペの両方を利用できるミラー付きルーペに係り、特に、ルーペのレンズを保護し、ミラー及びルーペの双方を利便性よく利用をできるミラー付きルーペに関する。
【背景技術】
【０００２】
［先行技術の説明］
従来のルーペとミラーが組み合わされたものとして、以下の関連する先行技術文献があった。
［関連技術］
特開２００６−２８８６７７号公報「携帯用備品」（株式会社明工）［特許文献１］、実用新案登録第３１３７７４８号公報「石鹸入れ」（石川次男）［特許文献２］、実用新案登録第３１６１１６３号公報「折り畳み式ルーペ」（サンスター文具株式会社）［特許文献３］、実開平０５−８２３１０号公報「ペンダント」（原田貞子）［特許文献４］がある。
【０００３】
特許文献１には、携帯用部品において、ミラーが設けられた一方側基材と拡大レンズ部が取り付けられた他方側基材とが回転可能に連結することが記載されている。
【０００４】
特許文献２には、石鹸入れにおいて、上蓋にルーペを形成し、内側にミラーが形成された蓋でルーペを覆うことが記載されている。
【０００５】
特許文献３には、折り畳み式ルーペにおいて、ミラーの構成はないが、３つの円形のフレームを折り畳んで２つのレンズを重ね合わすことができることが記載されている。
【０００６】
特許文献４には、ペンダントにおいて、上蓋にルーペのレンズが取り付けられ、下蓋にミラーが形成された構成が記載されている。
【先行技術文献】
【特許文献】
【０００７】
【特許文献１】特開２００６−２８８６７７号公報
【特許文献２】実用新案登録第３１３７７４８号公報
【特許文献３】実用新案登録第３１６１１６３号公報
【特許文献４】実開平０５−８２３１０号公報
【考案の概要】
【考案が解決しようとする課題】
【０００８】
しかしながら、従来のミラーが組み合わされたルーペでは、ルーペのレンズを保護しつつ、ルーペとミラーの両方の使い勝手を向上させることが難しいという問題点があった。
【０００９】
尚、特許文献１，３，４では、レンズが保護されていないため、ルーペのレンズが傷つき易いものとなっており、特許文献２では、ルーペは石鹸入れの中身を見るために用いられるもので、使い勝手がよくない。
つまり、特許文献１〜４では、ルーペのレンズを保護しつつ、ルーペとミラーの両方の使い勝手を向上させることは記載されていない。
【００１０】
本考案は上記実状に鑑みて為されたもので、ルーペのレンズを保護しつつ、ルーペとミラーの両方の使い勝手を向上させることができるミラー付きルーペを提供することを目的とする。
【課題を解決するための手段】
【００１１】
上記従来例の問題点を解決するための本考案は、ミラーを備えたミラー付きルーペであって、上蓋と、下蓋と、ルーペ部とを備え、上蓋の内面にミラーが取り付けられ、ルーペ部がレンズを備え、上蓋の端部と下蓋の端部とを接続し、当該接続する部分を中心に開閉する開閉部が形成され、下蓋の内面に沿ってルーペ部が回転可能に取り付けられ、ルーペ部を回転させると、下蓋からルーペ部が引き出し可能となり、ルーペ部が引き出されていない状態で、開閉部が閉状態の場合には、上蓋と下蓋でルーペ部を挟み込むようにしたことを特徴とする。
【００１２】
本考案は、上記ミラー付きルーペにおいて、ルーペ部が、開閉部側で支点を中心として回転可能としたことを特徴とする。
【００１３】
本考案は、上記ミラー付きルーペにおいて、ルーペ部が、回転可能な支点とは反対側の端部に突起部を設けたことを特徴とする。
【００１４】
本考案は、上記ミラー付きルーペにおいて、開閉部が、回転軸としての心棒を備えたヒンジ構造で、当該心棒の中心部分を露出させたことを特徴とする。
【００１５】
本考案は、上記ミラー付きルーペにおいて、開閉部が、回転角９０度以上１８０度以下の特定の角度で開状態が停止するよう構成されていることを特徴とする。
【考案の効果】
【００１６】
本考案によれば、上蓋の内面にミラーが取り付けられ、ルーペ部がレンズを備え、上蓋の端部と下蓋の端部とを接続し、当該接続する部分を中心に開閉する開閉部が形成され、下蓋の内面に沿ってルーペ部が回転可能に取り付けられ、ルーペ部を回転させると、下蓋からルーペ部が引き出し可能となり、ルーペ部が引き出されていない状態で、開閉部が閉状態の場合には、上蓋と下蓋でルーペ部を挟み込むミラー付きルーペとしているので、ルーペのレンズを上蓋と下蓋で保護しつつ、ルーペとミラーの両方の使い勝手を向上させることができる効果がある。
【図面の簡単な説明】
【００１７】
【図１】本ルーペの平面図である。
【図２】本ルーペのルーペ部を引き出した平面図である。
【図３】本ルーペの開状態の上面図である。
【図４】本ルーペの開状態の側面図である。
【図５】本ルーペの開状態でルーペ部を引き出した場合の上面図である。
【考案を実施するための形態】
【００１８】
本考案の実施の形態について図面を参照しながら説明する。
［実施の形態の概要］
本考案の実施の形態に係るミラー付きルーペは、開閉式の上蓋と下蓋とでルーペ部を挟み込み、上蓋の内側にミラーが設けられ、下蓋の内面に沿ってルーペ部が回転可能に取り付けられて、ルーペ部が引き出されるものであり、ルーペ部のレンズを上蓋と下蓋で保護しつつ、上蓋を開状態にしてミラーを利用可能にし、ルーペ部を引き出して利用可能にし、ミラーとルーペ部の双方の使い勝手を向上させたものである。
【００１９】
本考案の実施の形態に係るミラー付きルーペ（本ルーペ）について図１?５を参照しながら説明する。図１は、本ルーペの平面図であり、図２は、本ルーペのルーペ部を引き出した平面図であり、図３は、本ルーペの開状態の上面図であり、図４は、本ルーペの開状態の側面図であり、図５は、本ルーペの開状態でルーペ部を引き出した場合の上面図である。
【００２０】
［本ルーペの平面図：図１］
本ルーペは、図１に示すように、上蓋１１の平面形状が楕円形状となっており、上蓋１１の左側に開閉部１６の一部が形成されている。
また、下蓋１３の底面形状も楕円形状となっている。
開閉部１６の反対側にはルーペ部１２の突起部１２ａが見えた状態となっている。
【００２１】
［ルーペ部を引き出した平面図：図２］
本ルーペは、図２に示すように、突起部１２ａを押す等により動かすことでルーペ部１２を引き出すことができる。
ルーペ部１２は、ルーペのレンズ１４を備え、そのレンズ１４の周囲を保持する形状となっており、下蓋１３の内面に沿って回転可能に下蓋１３の特定位置に取り付けられている。
【００２２】
ルーペ部１２が取り付けられた特定位置とは反対側の先端部分には突起部１２ａが形成されている。
ルーペ部１２の取り出し方法については後述する。
【００２３】
［本ルーペの開状態：図３、図４］
本ルーペの上蓋１１の内面（裏面）にはミラー１５が取り付けられている。
具体的には、ミラー１５が取り付けられる上蓋１１の位置に、ミラー１５の厚さに相当する深さの凹部を形成し、その凹部にミラー１５をはめ込んで貼り付ける。これにより、上蓋１１の内面とミラー１５の表面が平坦になる。
【００２４】
また、上蓋１１と下蓋１３とは開閉部１６により開閉可能に接続されている。
開閉部１３は、ヒンジ（蝶番）の構造で、固定された回転軸を支柱（心棒）として一方向へ回転できるようにしたものである。
ここで、心棒を完全に上蓋１１又は下蓋で覆うのではなく、心棒の中心部分を露出させる。それにより、露出した心棒にストラップを取り付けることができる。
【００２５】
尚、ミラー１５を使い易くするために、図４に示す程度の角度（回転角９０度以上１８０以下の任意の角度）で上蓋１１が開状態を維持する、つまり、開状態を停止するようになっている。
下蓋１３の開閉部１６の近く（開閉部１６側）に軸部１７が形成され、ルーペ部１２が、軸部１７を中心に回転可能に取り付けられている。
【００２６】
尚、開閉部１６は、図４に示すように、ルーペ部１２を挟み込んで開閉するため、閉状態となったときに、ルーペ部１２の厚みのスペースを有するようになっている。
そのため、開閉部１６は、下蓋１３の端部において垂直方向（高さ方向）に突出する下蓋側突出部を有している。同様に、上蓋１１の端部において垂直方向に突出する上蓋側突出部を有しており、上蓋側突出部と下蓋側突出部がかみ合って開閉自在となっている。
【００２７】
［開状態でルーペ部１２を引き出した場合：図５］
図４の開状態からルーペ部１２の突起部１２ａを操作してルーペ部１２を、軸部１７を支点としてそれを中心に回転させると、ルーペ部１２を下蓋１３から引き出すことができる。
軸部１７とルーペ部１２との接続部分は、ルーペ部１２の突起部１２ａとは反対側の位置に円柱状の軸部１７にはめ込むための穴部が形成され、軸部１７に穴部を挿入することで、軸部１７を支点としてルーペ部１２が回転可能となる。
そして、その穴部には、留め具をはめて固定する。
【００２８】
軸部１７の外径に対して穴部の内径を調整することにより、ルーペ部１２を引き出す硬さ又は柔らかさを調整できる。ルーペ部１２を引き出して特定の位置に固定して使用するためには、柔らか過ぎないように設定する必要がある。
【００２９】
上記の例では、下蓋１３に円柱状の軸部１７を形成し、ルーペ部１２の穴部を挿入して留め具で固定するものであったが、ルーペ部１２に円柱状の凸部を形成し、下蓋１３側に対応した凹部を形成して、凹部に凸部を挿入して回転可能とすることも考えられる。
【００３０】
［使用方法］
本ルーペをミラーとして使用する場合には、上蓋１１を開状態にしてミラー１５を露出させる。
本ルーペをミラーとして使用しつつ、ルーペとして使用する場合には、上蓋１１を開状態にし、ルーペ部１２を下蓋１３から引き出す。
本ルーペをルーペとして使用する場合には、閉状態のままで、ルーペ部１２を引き出す。
【００３１】
［実施の形態の効果］
本ルーペによれば、上蓋１１と下蓋１３でルーペ部１２を挟み込み、上蓋１１の内面にミラー１５が形成され、軸部１７を中心にルーペ部１２を回転させて、下蓋１３からルーペ部１２を引き出す構成としているので、ルーペ部１２のレンズ１４を上蓋１１と下蓋１３で保護しつつ、上蓋１１を開状態にしてミラー１４を利用可能にし、ルーペ部１２を引き出して利用可能にでき、ミラー１４とルーペ部１２の双方の使い勝手を向上させることができる効果がある。
【産業上の利用可能性】
【００３２】
本考案は、ルーペのレンズを保護しつつ、ルーペとミラーの両方の使い勝手を向上させることができるミラー付きルーペに適している。
【符号の説明】
【００３３】
１１...上蓋、  １２...ルーペ部、  １２ｂ...突起部、  １３...下蓋、  １４...ルーペのレンズ、  １５...ミラー、  １６...開閉部、  １７...軸部
【図１】
0003186268.tif 000003
【図２】
0003186268.tif 000004
【図３】
0003186268.tif 000005
【図４】
0003186268.tif 000006
【図５】
0003186268.tif 000007